(57)【要約】  送信帯域幅が異なる場合でも、平均ＣＱＩのフィードバック精度を均等に保証する無線受信装置、無線送信装置及びフィードバック方法を提供する。チャネル推定部（１０３）がパイロット信号を用いて、ＲＢ毎のＳＩＮＲを求め、フィードバック情報生成部（１０７）は、ＲＢ毎のＳＩＮＲを対応するＣＱＩに変換し、また、送信帯域幅が広いほど量子化ビット数Ｘを減少させて平均ＣＱＩを量子化し、フィードバック情報を生成する。無線送信部（１０８）は、フィードバック情報をアンテナ（１０１）から送信する。
2009128276.tif 000002
【特許請求の範囲】
【請求項１】
パイロット信号を受信する受信手段と、
受信した前記パイロット信号を用いて、受信信号の受信品質を推定する推定手段と、
前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成手段と、
前記フィードバック情報を送信する送信手段と、
を具備する無線受信装置。
【請求項２】
前記フィードバック情報生成手段は、送信帯域幅が広いほど、量子化ビット数の減少幅を小さくする請求項１に記載の無線受信装置。
【請求項３】
受信品質を送信帯域幅で平均化して求められた平均ＣＱＩを含むフィードバック情報を受信する受信手段と、
前記送信帯域幅が広いほど少ない量子化ビット数に基づいて、フィードバック情報を復調するフィードバック情報復調手段と、
を具備する無線送信装置。
【請求項４】
複数のアンテナから送信されたパイロット信号を複数のアンテナを介して受信する受信手段と、
受信した前記パイロット信号を用いて、ストリーム毎の受信信号の受信品質を推定する推定手段と、
各ストリームの前記受信品質を送信帯域幅で平均化して平均ＣＱＩを求め、求めた各ストリームの平均ＣＱＩを前記送信帯域幅が広いほど少ない量子化ビット数で量子化してフィードバック情報を生成するフィードバック情報生成手段と、
前記フィードバック情報を送信する送信手段と、
を具備する無線受信装置。
【請求項５】
前記フィードバック情報生成手段は、第２ストリーム以降の平均ＣＱＩを第１ストリームの平均ＣＱＩとの差分によって表し、前記差分を前記送信帯域幅が広いほど少ない量子化ビット数で量子化する請求項４に記載の無線受信装置。
【請求項６】
前記フィードバック情報生成手段は、送信帯域幅が広いほど、前記差分を量子化する量子化ビット数の減少幅を小さくする請求項５に記載の無線受信装置。
【請求項７】
ストリーム毎の受信品質を送信帯域幅で平均化して求められた各ストリームの平均ＣＱＩを含むフィードバック情報を受信する受信手段と、
前記送信帯域幅が広いほど少ない量子化ビット数に基づいて、フィードバック情報を復調するフィードバック情報復調手段と、
を具備する無線送信装置。
【請求項８】
パイロット信号を受信する受信工程と、
受信した前記パイロット信号を用いて、受信信号の受信品質を推定する推定工程と、
前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成工程と、
前記フィードバック情報を送信する送信工程と、
を具備するフィードバック方法。
【請求項９】
複数のアンテナから送信されたパイロット信号を複数のアンテナを介して受信する受信工程と、
受信した前記パイロット信号を用いて、ストリーム毎の受信信号の受信品質を推定する推定工程と、
各ストリームの前記受信品質を送信帯域幅で平均化して平均ＣＱＩを求め、求めた各ストリームの平均ＣＱＩを前記送信帯域幅が広いほど少ない量子化ビット数で量子化してフィードバック情報を生成するフィードバック情報生成工程と、
前記フィードバック情報を送信する送信工程と、
を具備するフィードバック方法。
【発明の詳細な説明】
【技術分野】
【０００１】
本発明は、無線受信装置、無線送信装置及びフィードバック方法に関する。
【背景技術】
【０００２】
３ＧＰＰ（3rd Generation Partnership Project） ＬＴＥ（Long Term Evolution）の下りリンクにおけるセルスループットを改善する技術として、周波数スケジューリング（マルチユーザスケジューリング）がある。各端末は複数のサブキャリアのグループ毎（以下、「ＲＢ（Resource Block）」という）のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。【０００３】
基地局は、より高いＣＱＩをフィードバックした端末に優先的に通信リソースを割り当てる。このため、端末数が増大するほど、高いＣＱＩをフィードバックする端末数が増大するので、セルスループット（ピークデータレート、周波数利用効率）が改善することになる。ＣＱＩフィードバック方法には、Ｂｅｓｔ−Ｍ報告と呼ばれる方法がある。【０００４】
図１にＢｅｓｔ−Ｍ報告の概要を示す。Ｂｅｓｔ−Ｍ報告では、送信帯域全体（ＮＲＢ）の平均ＣＱＩ（Ｘビットで表現）と、ＣＱＩレベルの高い上位Ｍ個のＲＢに対応するＣＱＩ（各ＲＢのＣＱＩをＹビットで表現）と、選択したＲＢの位置（ｌｏｇ２（ＮＲＢＣＭ）ビットで表現）とをフィードバックする。これにより、合計Ｘ＋ＹＭ＋ｌｏｇ２（ＮＲＢＣＭ）ビットをフィードバックする。なお、上位Ｍ個のＣＱＩの量子化ビット数Ｙは平均ＣＱＩからの差分値で表現する。また、送信帯域に関係なく一定の量子化ビット数Ｘビットで平均ＣＱＩを表現する。【０００５】
図２にＢｅｓｔ−Ｍ報告によるＣＱＩフィードバックフォーマットを示す。ここでは、Ｘ＝５ビット、Ｙ＝３ビット、Ｍ＝５の場合を示している。基地局は、Ｂｅｓｔ−Ｍ報告によるフィードバック情報を復調し、ＲＢ毎のＣＱＩを再生する。
【先行技術文献】
【非特許文献】
【０００６】
【非特許文献１】3GPP, R1-062954, LG Electronics, “Analysis on DCT based CQI reporting Scheme”
【発明の概要】
【発明が解決しようとする課題】
【０００７】
しかしながら、端末に割り当てられる送信帯域幅が異なると、平均ＣＱＩの取り得る範囲（変動幅）も異なってしまう。図３に送信帯域幅と平均ＣＱＩの変動幅との関係を示す。図３Ａは送信帯域幅が５ＭＨｚ（２５ＲＢ）のときを示し、図３Ｂは送信帯域幅が１０ＭＨｚ（５０ＲＢ）のときを示している。図中点線で示した範囲が平均ＣＱＩの変動幅となり、送信帯域幅が狭い方が平均ＣＱＩの変動幅が大きくなる。【０００８】
すなわち、平均ＣＱＩの変動幅が大きくても、平均ＣＱＩを表すビット数はＸビットとして限られているため、平均ＣＱＩを量子化するとその精度が低下してしまう。一方、平均ＣＱＩの変動幅が小さければ、その平均ＣＱＩを量子化してもその精度は極端に低下しない。このように、送信帯域幅が異なると、平均ＣＱＩの変動幅も異なり、平均ＣＱＩのフィードバック精度に差が生じてしまう。【０００９】
本発明の目的は、送信帯域幅が異なる場合でも、平均ＣＱＩのフィードバック精度を均等に保証する無線受信装置、無線送信装置及びフィードバック方法を提供することである。
【課題を解決するための手段】
【００１０】
本発明の無線受信装置は、パイロット信号を受信する受信手段と、受信した前記パイロット信号を用いて、受信信号の受信品質を推定する推定手段と、前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成手段と、前記フィードバック情報を送信する送信手段と、を具備する構成を採る。【００１１】
本発明の無線送信装置は、受信品質を送信帯域幅で平均化して求められた平均ＣＱＩを含むフィードバック情報を受信する受信手段と、前記送信帯域幅が広いほど少ない量子化ビット数に基づいて、フィードバック情報を復調するフィードバック情報復調手段と、を具備する構成を採る。【００１２】
本発明のフィードバック方法は、パイロット信号を受信する受信工程と、受信した前記パイロット信号を用いて、受信信号の受信品質を推定する推定工程と、前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成工程と、前記フィードバック情報を送信する送信工程と、を具備するようにした。【００１３】
本発明のフィードバック方法は、複数のアンテナから送信されたパイロット信号を複数のアンテナを介して受信する受信工程と、受信した前記パイロット信号を用いて、ストリーム毎の受信信号の受信品質を推定する推定工程と、各ストリームの前記受信品質を送信帯域幅で平均化して平均ＣＱＩを求め、求めた各ストリームの平均ＣＱＩを前記送信帯域幅が広いほど少ない量子化ビット数で量子化してフィードバック情報を生成するフィードバック情報生成工程と、前記フィードバック情報を送信する送信工程と、を具備するようにした。
【発明の効果】
【００１４】
本発明によれば、送信帯域幅が異なる場合でも、平均ＣＱＩのフィードバック精度を均等に保証することができる。
【図面の簡単な説明】
【００１５】
【図１】Ｂｅｓｔ−Ｍ報告の概要を示す図
【図２】Ｂｅｓｔ−Ｍ報告によるＣＱＩフィードバックフォーマットを示す図
【図３】送信帯域幅と平均ＣＱＩの変動幅との関係を示す図
【図４】本発明の実施の形態１に係る受信装置の構成を示すブロック図
【図５】本発明の実施の形態１に係るフィードバックテーブルを示す図
【図６】ＳＩＮＲをＣＱＩに変換する様子を示す図
【図７】本発明の実施の形態１に係る送信装置の構成を示すブロック図
【図８】本発明の実施の形態２に係る受信装置の構成を示すブロック図
【図９】本発明の実施の形態２に係るフィードバックテーブルを示す図
【図１０】本発明の実施の形態２に係る送信装置の構成を示すブロック図
【発明を実施するための形態】
【００１６】
以下、本発明の実施の形態について、図面を参照して詳細に説明する。
【００１７】
（実施の形態１）
図４は、本発明の実施の形態１に係る受信装置の構成を示すブロック図である。無線受信部１０２は、アンテナ１０１を介して受信した信号をベースバンド信号にダウンコンバートし、受信信号のうちパイロット信号をチャネル推定部１０３に出力し、受信信号のうちデータ信号をデータ復調部１０４に出力する。
【００１８】
チャネル推定部１０３は、無線受信部１０２から出力されたパイロット信号を用いて、ＲＢ毎のチャネル推定値とＳＩＮＲを求め、求めたチャネル推定値をデータ復調部１０４に出力し、ＳＩＮＲをフィードバック情報生成部１０７に出力する。
【００１９】
データ復調部１０４は、チャネル推定部１０３から出力されたチャネル推定値を用いて、無線受信部１０２から出力されたデータ信号の位相歪みを補正し、位相歪みを補正した変調シンボルから軟判定ビットに変換し、データ復号部１０５に出力する。データ復号部１０５は、データ復調部１０４から出力された軟判定ビットをチャネル復号し、送信データを復元する。
【００２０】
送信帯域情報記憶部１０６は、自装置に割り当てられた送信帯域幅を記憶し、記憶した送信帯域幅をフィードバック情報生成部１０７に通知する。送信帯域幅は報知チャネル（Broadcast Channel）などによって通知される。
【００２１】
フィードバック情報生成部１０７は、チャネル推定部１０３から出力されたＲＢ毎のＳＩＮＲを、対応するＣＱＩに変換する。また、フィードバック情報生成部１０７は、送信帯域情報記憶部１０６から通知された送信帯域幅に応じて決められた量子化ビット数でフィードバック情報を生成し、無線送信部１０８に出力する。なお、フィードバック情報生成部１０７の詳細については後述する。
【００２２】
無線送信部１０８は、フィードバック情報生成部１０７から出力されたフィードバック情報をアップコンバートし、アンテナ１０１から送信する。
【００２３】
次に、上述したフィードバック情報生成部１０７におけるフィードバック情報の生成について詳細に説明する。フィードバック情報生成部１０７は、図５に示すようなフィードバックテーブルを備えているものとする。このフィードバックテーブルは、送信帯域幅が広いほど平均ＣＱＩの量子化ビット数Ｘを減少させている。ただし、ここでは、２０ＭＨｚ（１００ＲＢ）以上では同一の量子化ビット数とする。
【００２４】
図５において、５ＭＨｚ（２５ＲＢ）の平均ＣＱＩを５ビット、１０ＭＨｚ（５０ＲＢ）の平均ＣＱＩを４ビット、２０ＭＨｚ（１００ＲＢ）の平均ＣＱＩを３ビット、４０ＭＨｚ（２００ＲＢ）の平均ＣＱＩを３ビットとしている。このような値を設定したのは、送信帯域幅が広いほど、平均化の対象となるサンプル数（ここではＲＢ数）が多くなるため、周波数ダイバーシチ効果が増大し、平均ＣＱＩの変動幅が小さくなるからである。なお、フィードバックするＣＱＩ数Ｍを５とし、上位Ｍ個のＣＱＩの量子化ビット数Ｙを３ビットとする。
【００２５】
フィードバック情報生成部１０７は、図６に示すように、図５に示したフィードバックテーブルの量子化ビット数に従って、ＲＢ毎に平均したＳＩＮＲをＣＱＩに変換する。また、フィードバック情報生成部１０７は、ＲＢ毎のＳＩＮＲから送信帯域全体の平均ＳＩＮＲを求め、図５のフィードバックテーブルの量子化ビット数に従って、平均ＳＩＮＲをＣＱＩ変換する。そして、フィードバック情報を生成する。
【００２６】
図７は、本発明の実施の形態１に係る送信装置の構成を示すブロック図である。無線受信部２０２は、受信装置からフィードバックされたフィードバック情報をアンテナ２０１を介して受信し、受信したフィードバック情報をベースバンド信号にダウンコンバートし、フィードバック情報復調部２０３に出力する。
【００２７】
フィードバック情報復調部２０３は、図４に示した受信装置のフィードバック情報生成部１０７が備えるフィードバックテーブルと同じフィードバックテーブルを備え、無線受信部２０２から出力されたフィードバック情報をフィードバックテーブルに基づいて復調し、ＣＱＩ（チャネル符号化率及び変調レベル）を取得する。ちなみに、フィードバック情報復調部２０３は、通信中の受信装置に割り当てた送信帯域幅情報を有している。取得したチャネル符号化率は符号化部２０４に出力され、変調レベルは変調部２０５に出力される。なお、フィードバック情報復調部２０３の詳細については後述する。
【００２８】
符号化部２０４は、入力される各送信データをフィードバック情報復調部２０３から出力されたチャネル符号化率で符号化し、符号化データを変調部２０５に出力する。変調部２０５は、符号化部２０４から出力された符号化データをフィードバック情報復調部２０３から出力された変調レベルで変調し、変調シンボルを無線送信部２０６に出力する。
【００２９】
無線送信部２０６は、変調部２０５から出力された変調シンボルをアップコンバートし、アンテナ２０１から送信する。
【００３０】
次に、上述したフィードバック情報復調部２０３におけるフィードバック情報の復調について詳細に説明する。フィードバック情報復調部２０３は、図５に示したフィードバックテーブルを備えている。
【００３１】
送信帯域幅毎に平均ＣＱＩの量子化ビット数が異なるため、フィードバック情報復調部２０３は、フィードバックテーブルを参照し、受信装置と送信装置との間で共有している送信帯域幅情報に従って、平均ＣＱＩの量子化ビット数Ｘ、フィードバックされるＣＱＩ数Ｍ、そのＣＱＩの量子化ビット数Ｙを取得する。フィードバック情報復調部２０３は、取得したＸ、Ｍ、Ｙに基づいて、フィードバック情報を復調し、送信ウェイトとＣＱＩ（チャネル符号化率及び変調レベル）を取得する。図５に示したフィードバックテーブルによれば、Ｘ＝５〜３、Ｍ＝５、Ｙ＝３である。
【００３２】
このように実施の形態１によれば、送信帯域幅が広いほど、平均ＣＱＩの量子化ビット数を低減することにより、平均ＣＱＩの変動幅が狭いほど、量子化ビット数を少なくすることになり、送信帯域幅にかかわらず、平均ＣＱＩのフィードバック精度を均等に保証することができる。また、フィードバック量を低減することができる。
【００３３】
（実施の形態２）
実施の形態１では、ＳＩＳＯ（Single Input Single Output）の場合について説明したが、本発明の実施の形態２では、ＭＩＭＯ（Multiple Input Multiple Output）の場合について説明する。
【００３４】
図８は、本発明の実施の形態２に係る受信装置の構成を示すブロック図である。ここでは、アンテナを２本として説明する。ただし、実施の形態１の図４と共通する部分には、図４と同一の符号を付し、重複する説明は省略する。なお、アンテナを２本としたことにより、同一機能を有するブロックが重複する場合には、それぞれに枝番を付したが、特に断らない限り、枝番毎の差異はない。
【００３５】
無線受信部１０２−１、１０２−２は、対応するアンテナ１０１−１、１０１−２を介して受信した信号をベースバンド信号にダウンコンバートし、受信信号のうちデータ信号をＭＩＭＯ復調部３０３に出力し、受信信号のうちパイロット信号をチャネル推定部３０１に出力する。
【００３６】
チャネル推定部３０１は、無線受信部１０２−１、１０２−２から出力されたパイロット信号を用いて、ＲＢ毎のチャネル推定値とＳＩＮＲをそれぞれ各ストリームについて求め、求めたＳＩＮＲをフィードバック情報生成部３０２に出力し、チャネル推定値をＭＩＭＯ復調部３０３に出力する。
【００３７】
フィードバック情報生成部３０２は、チャネル推定部３０１から出力されたＲＢ毎のＳＩＮＲを、各ストリームについて対応するＣＱＩに変換する。また、フィードバック情報生成部３０２は、送信帯域情報記憶部１０６から通知された送信帯域幅に応じて決められた量子化ビット数でＣＱＩフィードバック情報を生成し、無線送信部１０８に出力する。なお、フィードバック情報生成部３０２の詳細については後述する。
【００３８】
ＭＩＭＯ復調部３０３は、チャネル推定部３０１から出力されたチャネル推定値を用いて、無線受信部１０２−１、１０２−２から出力されたデータ信号をストリーム毎に分離する。分離したストリームはそれぞれデータ復調部１０４−１、１０４−２に出力される。
【００３９】
次に、上述したフィードバック情報生成部３０２におけるフィードバック情報の生成について詳細に説明する。フィードバック情報生成部３０２は、図９に示すように、第１ストリームについては、送信帯域幅が広いほど平均ＣＱＩの量子化ビット数Ｘを減少させ、第２ストリームについては、平均ＣＱＩを第１ストリームの平均ＣＱＩとの差分で表し、かつ、送信帯域幅が広いほど差分を表すビット数Ｘｄを減少させるフィードバックビットテーブルを備えている。ただし、ここでは、第１ストリームの平均ＣＱＩについては、２０ＭＨｚ（１００ＲＢ）以上では同一の量子化ビット数とし、第２ストリームの平均ＣＱＩについては、２０ＭＨｚ（１００ＲＢ）以上では０ビットとする。
【００４０】
図９において、第１ストリームについては、５ＭＨｚ（２５ＲＢ）の平均ＣＱＩを５ビット、１０ＭＨｚ（５０ＲＢ）の平均ＣＱＩを４ビット、２０ＭＨｚ（１００ＲＢ）の平均ＣＱＩを３ビット、４０ＭＨｚ（２００ＲＢ）の平均ＣＱＩを３ビットとしている。また、第２ストリームについては、５ＭＨｚ（２５ＲＢ）の差分を３ビット、１０ＭＨｚ（５０ＲＢ）の差分を２ビットとしている。このような値に設定したのは、送信帯域幅が広いほど、平均化の対象となるサンプル数（ここではＲＢ数）が多くなり、周波数ダイバーシチ効果が改善するため、各ストリームの平均ＣＱＩの差が小さくなるからである。なお、フィードバックするＣＱＩ数Ｍを５とし、上位Ｍ個のＣＱＩの量子化ビット数Ｙを３ビットとする。
【００４１】
フィードバック情報生成部３０２は、図９に示したフィードバックテーブルに基づいて、送信帯域幅に応じた第１ストリームの平均ＣＱＩの量子化ビット数及び第２ストリームの差分の量子化ビット数を取得する。また、フィードバック情報生成部３０２は、各ストリームについて、ＲＢ毎のＳＩＮＲから送信帯域全体の平均ＳＩＮＲを求め、求めた平均ＳＩＮＲと上位Ｍ個のＲＢのＳＩＮＲとを、取得した量子化ビット数でＣＱＩに変換する。そして、フィードバック情報を生成する。
【００４２】
図１０は、本発明の実施の形態２に係る送信装置の構成を示すブロック図である。ここでは、アンテナを２本として説明する。ただし、実施の形態１の図７と共通する部分には、図７と同一の符号を付し、重複する説明は省略する。なお、アンテナを２本としたことにより、同一機能を有するブロックが重複する場合には、それぞれに枝番を付したが、特に断らない限り、枝番毎の差異はない。
【００４３】
フィードバック情報復調部４０１は、図８に示した受信装置のフィードバック情報生成部３０２が備えるフィードバックビットテーブルと同じフィードバックビットテーブルを備え、無線受信部２０２から出力されたフィードバック情報をフィードバックテーブルに基づいて復調し、送信ウェイトとＣＱＩ（チャネル符号化率及び変調レベル）を取得する。取得したチャネル符号化率は符号化部２０４−１、２０４−２に出力され、変調レベルは変調部２０５−１、２０５−２に出力される。なお、フィードバック情報復調部４０１の詳細については後述する。
【００４４】
ＭＩＭＯ多重部４０２は、変調部２０５−１、２０５−２から出力された変調シンボルを送信ストリームに変換し、全ての送信ストリームを多重して無線送信部２０６−１、２０６−２に出力する。
【００４５】
次に、上述したフィードバック情報復調部４０１におけるフィードバック情報の復調について詳細に説明する。フィードバック情報復調部４０１は、図９に示したフィードバックビットテーブルを備えている。
【００４６】
送信帯域幅毎に各ストリームの平均ＣＱＩの量子化ビット数が異なるため、フィードバック情報復調部４０１は、フィードバックテーブルを参照し、第１ストリームの平均ＣＱＩの量子化ビット数Ｘ、第２ストリームの差分の量子化ビット数Ｘｄ、フィードバックされるＣＱＩ数Ｍ、そのＣＱＩの量子化ビット数Ｙを取得する。フィードバック情報復調部４０１は、取得した量子化ビット数に基づいて、フィードバック情報を復調し、送信ウェイトとＣＱＩ（チャネル符号化率及び変調レベル）を取得する。
【００４７】
このように実施の形態２によれば、送信帯域幅が広いほど、各ストリームにおける平均ＣＱＩの量子化ビット数を低減することにより、平均ＣＱＩの変動幅が狭いほど、量子化ビット数を少なくすることになり、送信帯域幅にかかわらず、平均ＣＱＩのフィードバック精度を均等に保証することができる。また、フィードバック量を低減することができる。
【００４８】
なお、本実施の形態では、アンテナ本数が２本の場合について説明したが、本発明はアンテナ本数に限定されるものではない。
【００４９】
なお、上記各実施の形態では、受信装置が送信帯域幅を取得する方法として、送信帯域幅情報を含む報知チャネルを受信して取得する場合について説明したが、通信中に送信帯域幅を変更可能なシステムでは、より短い送信間隔（１０ｍｓｅｃ以下）の制御チャネルによって取得するようにしてもよい。また、送信装置及び受信装置間で予め送信帯域幅が決められているシステムでは、シグナリングによる通知は特に必要ない。
【００５０】
また、上記各実施の形態では、ＣＱＩフィードバック方法としてＢｅｓｔ−Ｍ報告を例に挙げ、送信帯域全体の品質を表す指標として平均ＣＱＩを用いて説明したが、本発明はこれに限らず、例えば、ＣＱＩフィードバック方法としてＤＣＴ報告を用い、送信帯域全体の品質を表す指標としてＤＣ成分を用いてもよい。
【００５１】
また、上記各実施の形態では、送信帯域幅が広がるにつれて、ＲＢ数（チャネルの品質を表現するサンプル数）が増大する場合について説明したが、送信帯域が一定の場合でも、ＲＢ数を変更するようにしてもよい。例えば、複数のＲＢをグループ化して、全送信帯域におけるサンプル数を変化させるなどである
【００５２】
上記各実施の形態では、本発明をハードウェアで構成する場合を例にとって説明したが、本発明はソフトウェアで実現することも可能である。
【００５３】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００５４】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００５５】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００５６】
なお、上記実施の形態ではアンテナとして説明したが、本発明はアンテナポート（antenna port）でも同様に適用できる。
【００５７】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【００５８】
例えば３ＧＰＰ ＬＴＥにおいては、アンテナポートが何本の物理アンテナから構成されるかは規定されず、基地局が異なる参照信号（Reference signal）を送信できる最小単位として規定されている。
【００５９】
また、アンテナポートはプリコーディングベクトル（Precoding vector）の重み付けを乗算する最小単位として規定されることもある。
【００６０】
２００８年４月１８日出願の特願２００８−１０９２９４の日本出願に含まれる明細書、図面及び要約書の開示内容は、すべて本願に援用される。
【産業上の利用可能性】
【００６１】
本発明にかかる無線受信装置、無線送信装置及びフィードバック方法は、例えば、移動通通信システム等に適用できる。
【図１】
2009128276.tif 000003
【図２】
2009128276.tif 000004
【図３】
2009128276.tif 000005
【図４】
2009128276.tif 000006
【図５】
2009128276.tif 000007
【図６】
2009128276.tif 000008
【図７】
2009128276.tif 000009
【図８】
2009128276.tif 000010
【図９】
2009128276.tif 000011
【図１０】
2009128276.tif 000012
【手続補正書】
【提出日】平成22年8月5日(2010.8.5)
【手続補正１】
【補正対象書類名】明細書
【補正対象項目名】全文
【補正方法】変更
【補正の内容】
【発明の詳細な説明】
【技術分野】
【０００１】
本発明は、無線受信装置、無線送信装置及びフィードバック方法に関する。
【背景技術】
【０００２】
３ＧＰＰ（3rd Generation Partnership Project） ＬＴＥ（Long Term Evolution）の下りリンクにおけるセルスループットを改善する技術として、周波数スケジューリング（マルチユーザスケジューリング）がある。各端末は複数のサブキャリアのグループ毎（以下、「ＲＢ（Resource Block）」という）のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。
【０００３】
基地局は、より高いＣＱＩをフィードバックした端末に優先的に通信リソースを割り当てる。このため、端末数が増大するほど、高いＣＱＩをフィードバックする端末数が増大するので、セルスループット（ピークデータレート、周波数利用効率）が改善することになる。ＣＱＩフィードバック方法には、Ｂｅｓｔ−Ｍ報告と呼ばれる方法がある。
【０００４】
図１にＢｅｓｔ−Ｍ報告の概要を示す。Ｂｅｓｔ−Ｍ報告では、送信帯域全体（ＮＲＢ）の平均ＣＱＩ（Ｘビットで表現）と、ＣＱＩレベルの高い上位Ｍ個のＲＢに対応するＣＱＩ（各ＲＢのＣＱＩをＹビットで表現）と、選択したＲＢの位置（ｌｏｇ２（ＮＲＢＣＭ）ビットで表現）とをフィードバックする。これにより、合計Ｘ＋ＹＭ＋ｌｏｇ２（ＮＲＢＣＭ）ビットをフィードバックする。なお、上位Ｍ個のＣＱＩの量子化ビット数Ｙは平均ＣＱＩからの差分値で表現する。また、送信帯域に関係なく一定の量子化ビット数Ｘビットで平均ＣＱＩを表現する。
【０００５】
図２にＢｅｓｔ−Ｍ報告によるＣＱＩフィードバックフォーマットを示す。ここでは、Ｘ＝５ビット、Ｙ＝３ビット、Ｍ＝５の場合を示している。基地局は、Ｂｅｓｔ−Ｍ報告によるフィードバック情報を復調し、ＲＢ毎のＣＱＩを再生する。
【先行技術文献】
【非特許文献】
【０００６】
【非特許文献１】3GPP, R1-062954, LG Electronics, “Analysis on DCT based CQI reporting Scheme”
【発明の概要】
【発明が解決しようとする課題】
【０００７】
しかしながら、端末に割り当てられる送信帯域幅が異なると、平均ＣＱＩの取り得る範囲（変動幅）も異なってしまう。図３に送信帯域幅と平均ＣＱＩの変動幅との関係を示す。図３Ａは送信帯域幅が５ＭＨｚ（２５ＲＢ）のときを示し、図３Ｂは送信帯域幅が１０ＭＨｚ（５０ＲＢ）のときを示している。図中点線で示した範囲が平均ＣＱＩの変動幅となり、送信帯域幅が狭い方が平均ＣＱＩの変動幅が大きくなる。
【０００８】
すなわち、平均ＣＱＩの変動幅が大きくても、平均ＣＱＩを表すビット数はＸビットとして限られているため、平均ＣＱＩを量子化するとその精度が低下してしまう。一方、平均ＣＱＩの変動幅が小さければ、その平均ＣＱＩを量子化してもその精度は極端に低下しない。このように、送信帯域幅が異なると、平均ＣＱＩの変動幅も異なり、平均ＣＱＩのフィードバック精度に差が生じてしまう。
【０００９】
本発明の目的は、送信帯域幅が異なる場合でも、平均ＣＱＩのフィードバック精度を均等に保証する無線受信装置、無線送信装置及びフィードバック方法を提供することである。
【課題を解決するための手段】
【００１０】
本発明の無線受信装置は、パイロット信号を受信する受信手段と、受信した前記パイロット信号を用いて、受信信号の受信品質を推定する推定手段と、前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成手段と、前記フィードバック情報を送信する送信手段と、を具備する構成を採る。
【００１１】
本発明の無線送信装置は、受信品質を送信帯域幅で平均化して求められた平均ＣＱＩを含むフィードバック情報を受信する受信手段と、前記送信帯域幅が広いほど少ない量子化ビット数に基づいて、フィードバック情報を復調するフィードバック情報復調手段と、を具備する構成を採る。
【００１２】
本発明のフィードバック方法は、パイロット信号を受信する受信工程と、受信した前記パイロット信号を用いて、受信信号の受信品質を推定する推定工程と、前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成工程と、前記フィードバック情報を送信する送信工程と、を具備するようにした。
【００１３】
本発明のフィードバック方法は、複数のアンテナから送信されたパイロット信号を複数のアンテナを介して受信する受信工程と、受信した前記パイロット信号を用いて、ストリーム毎の受信信号の受信品質を推定する推定工程と、各ストリームの前記受信品質を送信帯域幅で平均化して平均ＣＱＩを求め、求めた各ストリームの平均ＣＱＩを前記送信帯域幅が広いほど少ない量子化ビット数で量子化してフィードバック情報を生成するフィードバック情報生成工程と、前記フィードバック情報を送信する送信工程と、を具備するようにした。
【発明の効果】
【００１４】
本発明によれば、送信帯域幅が異なる場合でも、平均ＣＱＩのフィードバック精度を均等に保証することができる。
【図面の簡単な説明】
【００１５】
【図１】Ｂｅｓｔ−Ｍ報告の概要を示す図
【図２】Ｂｅｓｔ−Ｍ報告によるＣＱＩフィードバックフォーマットを示す図
【図３】送信帯域幅と平均ＣＱＩの変動幅との関係を示す図
【図４】本発明の実施の形態１に係る受信装置の構成を示すブロック図
【図５】本発明の実施の形態１に係るフィードバックテーブルを示す図
【図６】ＳＩＮＲをＣＱＩに変換する様子を示す図
【図７】本発明の実施の形態１に係る送信装置の構成を示すブロック図
【図８】本発明の実施の形態２に係る受信装置の構成を示すブロック図
【図９】本発明の実施の形態２に係るフィードバックテーブルを示す図
【図１０】本発明の実施の形態２に係る送信装置の構成を示すブロック図
【発明を実施するための形態】
【００１６】
以下、本発明の実施の形態について、図面を参照して詳細に説明する。
【００１７】
（実施の形態１）
図４は、本発明の実施の形態１に係る受信装置の構成を示すブロック図である。無線受信部１０２は、アンテナ１０１を介して受信した信号をベースバンド信号にダウンコンバートし、受信信号のうちパイロット信号をチャネル推定部１０３に出力し、受信信号のうちデータ信号をデータ復調部１０４に出力する。
【００１８】
チャネル推定部１０３は、無線受信部１０２から出力されたパイロット信号を用いて、ＲＢ毎のチャネル推定値とＳＩＮＲを求め、求めたチャネル推定値をデータ復調部１０４に出力し、ＳＩＮＲをフィードバック情報生成部１０７に出力する。
【００１９】
データ復調部１０４は、チャネル推定部１０３から出力されたチャネル推定値を用いて、無線受信部１０２から出力されたデータ信号の位相歪みを補正し、位相歪みを補正した変調シンボルから軟判定ビットに変換し、データ復号部１０５に出力する。データ復号部１０５は、データ復調部１０４から出力された軟判定ビットをチャネル復号し、送信データを復元する。
【００２０】
送信帯域情報記憶部１０６は、自装置に割り当てられた送信帯域幅を記憶し、記憶した送信帯域幅をフィードバック情報生成部１０７に通知する。送信帯域幅は報知チャネル（Broadcast Channel）などによって通知される。
【００２１】
フィードバック情報生成部１０７は、チャネル推定部１０３から出力されたＲＢ毎のＳＩＮＲを、対応するＣＱＩに変換する。また、フィードバック情報生成部１０７は、送信帯域情報記憶部１０６から通知された送信帯域幅に応じて決められた量子化ビット数でフィードバック情報を生成し、無線送信部１０８に出力する。なお、フィードバック情報生成部１０７の詳細については後述する。
【００２２】
無線送信部１０８は、フィードバック情報生成部１０７から出力されたフィードバック情報をアップコンバートし、アンテナ１０１から送信する。
【００２３】
次に、上述したフィードバック情報生成部１０７におけるフィードバック情報の生成について詳細に説明する。フィードバック情報生成部１０７は、図５に示すようなフィードバックテーブルを備えているものとする。このフィードバックテーブルは、送信帯域幅が広いほど平均ＣＱＩの量子化ビット数Ｘを減少させている。ただし、ここでは、２０ＭＨｚ（１００ＲＢ）以上では同一の量子化ビット数とする。
【００２４】
図５において、５ＭＨｚ（２５ＲＢ）の平均ＣＱＩを５ビット、１０ＭＨｚ（５０ＲＢ）の平均ＣＱＩを４ビット、２０ＭＨｚ（１００ＲＢ）の平均ＣＱＩを３ビット、４０ＭＨｚ（２００ＲＢ）の平均ＣＱＩを３ビットとしている。このような値を設定したのは、送信帯域幅が広いほど、平均化の対象となるサンプル数（ここではＲＢ数）が多くなるため、周波数ダイバーシチ効果が増大し、平均ＣＱＩの変動幅が小さくなるからである。なお、フィードバックするＣＱＩ数Ｍを５とし、上位Ｍ個のＣＱＩの量子化ビット数Ｙを３ビットとする。
【００２５】
フィードバック情報生成部１０７は、図６に示すように、図５に示したフィードバックテーブルの量子化ビット数に従って、ＲＢ毎に平均したＳＩＮＲをＣＱＩに変換する。また、フィードバック情報生成部１０７は、ＲＢ毎のＳＩＮＲから送信帯域全体の平均ＳＩＮＲを求め、図５のフィードバックテーブルの量子化ビット数に従って、平均ＳＩＮＲをＣＱＩ変換する。そして、フィードバック情報を生成する。
【００２６】
図７は、本発明の実施の形態１に係る送信装置の構成を示すブロック図である。無線受信部２０２は、受信装置からフィードバックされたフィードバック情報をアンテナ２０１
を介して受信し、受信したフィードバック情報をベースバンド信号にダウンコンバートし、フィードバック情報復調部２０３に出力する。
【００２７】
フィードバック情報復調部２０３は、図４に示した受信装置のフィードバック情報生成部１０７が備えるフィードバックテーブルと同じフィードバックテーブルを備え、無線受信部２０２から出力されたフィードバック情報をフィードバックテーブルに基づいて復調し、ＣＱＩ（チャネル符号化率及び変調レベル）を取得する。ちなみに、フィードバック情報復調部２０３は、通信中の受信装置に割り当てた送信帯域幅情報を有している。取得したチャネル符号化率は符号化部２０４に出力され、変調レベルは変調部２０５に出力される。なお、フィードバック情報復調部２０３の詳細については後述する。
【００２８】
符号化部２０４は、入力される各送信データをフィードバック情報復調部２０３から出力されたチャネル符号化率で符号化し、符号化データを変調部２０５に出力する。変調部２０５は、符号化部２０４から出力された符号化データをフィードバック情報復調部２０３から出力された変調レベルで変調し、変調シンボルを無線送信部２０６に出力する。
【００２９】
無線送信部２０６は、変調部２０５から出力された変調シンボルをアップコンバートし、アンテナ２０１から送信する。
【００３０】
次に、上述したフィードバック情報復調部２０３におけるフィードバック情報の復調について詳細に説明する。フィードバック情報復調部２０３は、図５に示したフィードバックテーブルを備えている。
【００３１】
送信帯域幅毎に平均ＣＱＩの量子化ビット数が異なるため、フィードバック情報復調部２０３は、フィードバックテーブルを参照し、受信装置と送信装置との間で共有している送信帯域幅情報に従って、平均ＣＱＩの量子化ビット数Ｘ、フィードバックされるＣＱＩ数Ｍ、そのＣＱＩの量子化ビット数Ｙを取得する。フィードバック情報復調部２０３は、取得したＸ、Ｍ、Ｙに基づいて、フィードバック情報を復調し、送信ウェイトとＣＱＩ（チャネル符号化率及び変調レベル）を取得する。図５に示したフィードバックテーブルによれば、Ｘ＝５〜３、Ｍ＝５、Ｙ＝３である。
【００３２】
このように実施の形態１によれば、送信帯域幅が広いほど、平均ＣＱＩの量子化ビット数を低減することにより、平均ＣＱＩの変動幅が狭いほど、量子化ビット数を少なくすることになり、送信帯域幅にかかわらず、平均ＣＱＩのフィードバック精度を均等に保証することができる。また、フィードバック量を低減することができる。
【００３３】
（実施の形態２）
実施の形態１では、ＳＩＳＯ（Single Input Single Output）の場合について説明したが、本発明の実施の形態２では、ＭＩＭＯ（Multiple Input Multiple Output）の場合について説明する。
【００３４】
図８は、本発明の実施の形態２に係る受信装置の構成を示すブロック図である。ここでは、アンテナを２本として説明する。ただし、実施の形態１の図４と共通する部分には、図４と同一の符号を付し、重複する説明は省略する。なお、アンテナを２本としたことにより、同一機能を有するブロックが重複する場合には、それぞれに枝番を付したが、特に断らない限り、枝番毎の差異はない。
【００３５】
無線受信部１０２−１、１０２−２は、対応するアンテナ１０１−１、１０１−２を介して受信した信号をベースバンド信号にダウンコンバートし、受信信号のうちデータ信号をＭＩＭＯ復調部３０３に出力し、受信信号のうちパイロット信号をチャネル推定部３０
１に出力する。
【００３６】
チャネル推定部３０１は、無線受信部１０２−１、１０２−２から出力されたパイロット信号を用いて、ＲＢ毎のチャネル推定値とＳＩＮＲをそれぞれ各ストリームについて求め、求めたＳＩＮＲをフィードバック情報生成部３０２に出力し、チャネル推定値をＭＩＭＯ復調部３０３に出力する。
【００３７】
フィードバック情報生成部３０２は、チャネル推定部３０１から出力されたＲＢ毎のＳＩＮＲを、各ストリームについて対応するＣＱＩに変換する。また、フィードバック情報生成部３０２は、送信帯域情報記憶部１０６から通知された送信帯域幅に応じて決められた量子化ビット数でＣＱＩフィードバック情報を生成し、無線送信部１０８に出力する。なお、フィードバック情報生成部３０２の詳細については後述する。
【００３８】
ＭＩＭＯ復調部３０３は、チャネル推定部３０１から出力されたチャネル推定値を用いて、無線受信部１０２−１、１０２−２から出力されたデータ信号をストリーム毎に分離する。分離したストリームはそれぞれデータ復調部１０４−１、１０４−２に出力される。
【００３９】
次に、上述したフィードバック情報生成部３０２におけるフィードバック情報の生成について詳細に説明する。フィードバック情報生成部３０２は、図９に示すように、第１ストリームについては、送信帯域幅が広いほど平均ＣＱＩの量子化ビット数Ｘを減少させ、第２ストリームについては、平均ＣＱＩを第１ストリームの平均ＣＱＩとの差分で表し、かつ、送信帯域幅が広いほど差分を表すビット数Ｘｄを減少させるフィードバックビットテーブルを備えている。ただし、ここでは、第１ストリームの平均ＣＱＩについては、２０ＭＨｚ（１００ＲＢ）以上では同一の量子化ビット数とし、第２ストリームの平均ＣＱＩについては、２０ＭＨｚ（１００ＲＢ）以上では０ビットとする。
【００４０】
図９において、第１ストリームについては、５ＭＨｚ（２５ＲＢ）の平均ＣＱＩを５ビット、１０ＭＨｚ（５０ＲＢ）の平均ＣＱＩを４ビット、２０ＭＨｚ（１００ＲＢ）の平均ＣＱＩを３ビット、４０ＭＨｚ（２００ＲＢ）の平均ＣＱＩを３ビットとしている。また、第２ストリームについては、５ＭＨｚ（２５ＲＢ）の差分を３ビット、１０ＭＨｚ（５０ＲＢ）の差分を２ビットとしている。このような値に設定したのは、送信帯域幅が広いほど、平均化の対象となるサンプル数（ここではＲＢ数）が多くなり、周波数ダイバーシチ効果が改善するため、各ストリームの平均ＣＱＩの差が小さくなるからである。なお、フィードバックするＣＱＩ数Ｍを５とし、上位Ｍ個のＣＱＩの量子化ビット数Ｙを３ビットとする。
【００４１】
フィードバック情報生成部３０２は、図９に示したフィードバックテーブルに基づいて、送信帯域幅に応じた第１ストリームの平均ＣＱＩの量子化ビット数及び第２ストリームの差分の量子化ビット数を取得する。また、フィードバック情報生成部３０２は、各ストリームについて、ＲＢ毎のＳＩＮＲから送信帯域全体の平均ＳＩＮＲを求め、求めた平均ＳＩＮＲと上位Ｍ個のＲＢのＳＩＮＲとを、取得した量子化ビット数でＣＱＩに変換する。そして、フィードバック情報を生成する。
【００４２】
図１０は、本発明の実施の形態２に係る送信装置の構成を示すブロック図である。ここでは、アンテナを２本として説明する。ただし、実施の形態１の図７と共通する部分には、図７と同一の符号を付し、重複する説明は省略する。なお、アンテナを２本としたことにより、同一機能を有するブロックが重複する場合には、それぞれに枝番を付したが、特に断らない限り、枝番毎の差異はない。
【００４３】
フィードバック情報復調部４０１は、図８に示した受信装置のフィードバック情報生成部３０２が備えるフィードバックビットテーブルと同じフィードバックビットテーブルを備え、無線受信部２０２から出力されたフィードバック情報をフィードバックテーブルに基づいて復調し、送信ウェイトとＣＱＩ（チャネル符号化率及び変調レベル）を取得する。取得したチャネル符号化率は符号化部２０４−１、２０４−２に出力され、変調レベルは変調部２０５−１、２０５−２に出力される。なお、フィードバック情報復調部４０１の詳細については後述する。
【００４４】
ＭＩＭＯ多重部４０２は、変調部２０５−１、２０５−２から出力された変調シンボルを送信ストリームに変換し、全ての送信ストリームを多重して無線送信部２０６−１、２０６−２に出力する。
【００４５】
次に、上述したフィードバック情報復調部４０１におけるフィードバック情報の復調について詳細に説明する。フィードバック情報復調部４０１は、図９に示したフィードバックビットテーブルを備えている。
【００４６】
送信帯域幅毎に各ストリームの平均ＣＱＩの量子化ビット数が異なるため、フィードバック情報復調部４０１は、フィードバックテーブルを参照し、第１ストリームの平均ＣＱＩの量子化ビット数Ｘ、第２ストリームの差分の量子化ビット数Ｘｄ、フィードバックされるＣＱＩ数Ｍ、そのＣＱＩの量子化ビット数Ｙを取得する。フィードバック情報復調部４０１は、取得した量子化ビット数に基づいて、フィードバック情報を復調し、送信ウェイトとＣＱＩ（チャネル符号化率及び変調レベル）を取得する。
【００４７】
このように実施の形態２によれば、送信帯域幅が広いほど、各ストリームにおける平均ＣＱＩの量子化ビット数を低減することにより、平均ＣＱＩの変動幅が狭いほど、量子化ビット数を少なくすることになり、送信帯域幅にかかわらず、平均ＣＱＩのフィードバック精度を均等に保証することができる。また、フィードバック量を低減することができる。
【００４８】
なお、本実施の形態では、アンテナ本数が２本の場合について説明したが、本発明はアンテナ本数に限定されるものではない。
【００４９】
なお、上記各実施の形態では、受信装置が送信帯域幅を取得する方法として、送信帯域幅情報を含む報知チャネルを受信して取得する場合について説明したが、通信中に送信帯域幅を変更可能なシステムでは、より短い送信間隔（１０ｍｓｅｃ以下）の制御チャネルによって取得するようにしてもよい。また、送信装置及び受信装置間で予め送信帯域幅が決められているシステムでは、シグナリングによる通知は特に必要ない。
【００５０】
また、上記各実施の形態では、ＣＱＩフィードバック方法としてＢｅｓｔ−Ｍ報告を例に挙げ、送信帯域全体の品質を表す指標として平均ＣＱＩを用いて説明したが、本発明はこれに限らず、例えば、ＣＱＩフィードバック方法としてＤＣＴ報告を用い、送信帯域全体の品質を表す指標としてＤＣ成分を用いてもよい。
【００５１】
また、上記各実施の形態では、送信帯域幅が広がるにつれて、ＲＢ数（チャネルの品質を表現するサンプル数）が増大する場合について説明したが、送信帯域が一定の場合でも、ＲＢ数を変更するようにしてもよい。例えば、複数のＲＢをグループ化して、全送信帯域におけるサンプル数を変化させるなどである
【００５２】
上記各実施の形態では、本発明をハードウェアで構成する場合を例にとって説明したが、本発明はソフトウェアで実現することも可能である。
【００５３】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００５４】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００５５】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００５６】
なお、上記実施の形態ではアンテナとして説明したが、本発明はアンテナポート（antenna port）でも同様に適用できる。
【００５７】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【００５８】
例えば３ＧＰＰ ＬＴＥにおいては、アンテナポートが何本の物理アンテナから構成されるかは規定されず、基地局が異なる参照信号（Reference signal）を送信できる最小単位として規定されている。
【００５９】
また、アンテナポートはプリコーディングベクトル（Precoding vector）の重み付けを乗算する最小単位として規定されることもある。
【００６０】
２００８年４月１８日出願の特願２００８−１０９２９４の日本出願に含まれる明細書、図面及び要約書の開示内容は、すべて本願に援用される。
【産業上の利用可能性】
【００６１】
本発明にかかる無線受信装置、無線送信装置及びフィードバック方法は、例えば、移動通通信システム等に適用できる。
【手続補正２】
【補正対象書類名】特許請求の範囲
【補正対象項目名】全文
【補正方法】変更
【補正の内容】
【特許請求の範囲】
【請求項１】
パイロット信号を受信する受信手段と、
受信した前記パイロット信号を用いて、受信信号の受信品質を推定する推定手段と、
前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成手段と、
前記フィードバック情報を送信する送信手段と、
を具備する無線受信装置。
【請求項２】
前記フィードバック情報生成手段は、送信帯域幅が広いほど、量子化ビット数の減少幅を小さくする請求項１に記載の無線受信装置。
【請求項３】
受信品質を送信帯域幅で平均化して求められた平均ＣＱＩを含むフィードバック情報を受信する受信手段と、
前記送信帯域幅が広いほど少ない量子化ビット数に基づいて、フィードバック情報を復調するフィードバック情報復調手段と、
を具備する無線送信装置。
【請求項４】
複数のアンテナから送信されたパイロット信号を複数のアンテナを介して受信する受信手段と、
受信した前記パイロット信号を用いて、ストリーム毎の受信信号の受信品質を推定する推定手段と、
各ストリームの前記受信品質を送信帯域幅で平均化して平均ＣＱＩを求め、求めた各ストリームの平均ＣＱＩを前記送信帯域幅が広いほど少ない量子化ビット数で量子化してフィードバック情報を生成するフィードバック情報生成手段と、
前記フィードバック情報を送信する送信手段と、
を具備する無線受信装置。
【請求項５】
前記フィードバック情報生成手段は、第２ストリーム以降の平均ＣＱＩを第１ストリームの平均ＣＱＩとの差分によって表し、前記差分を前記送信帯域幅が広いほど少ない量子化ビット数で量子化する請求項４に記載の無線受信装置。
【請求項６】
前記フィードバック情報生成手段は、送信帯域幅が広いほど、前記差分を量子化する量子化ビット数の減少幅を小さくする請求項５に記載の無線受信装置。
【請求項７】
ストリーム毎の受信品質を送信帯域幅で平均化して求められた各ストリームの平均ＣＱＩを含むフィードバック情報を受信する受信手段と、
前記送信帯域幅が広いほど少ない量子化ビット数に基づいて、フィードバック情報を復調するフィードバック情報復調手段と、
を具備する無線送信装置。
【請求項８】
パイロット信号を受信する受信工程と、
受信した前記パイロット信号を用いて、受信信号の受信品質を推定する推定工程と、
前記受信品質を送信帯域幅で平均化して平均ＣＱＩを求め、求めた平均ＣＱＩを前記送信帯域幅が広いほど少ない量子化ビット数で量子化してフィードバック情報を生成するフィードバック情報生成工程と、
前記フィードバック情報を送信する送信工程と、
を具備するフィードバック方法。
【請求項９】
複数のアンテナから送信されたパイロット信号を複数のアンテナを介して受信する受信工程と、
受信した前記パイロット信号を用いて、ストリーム毎の受信信号の受信品質を推定する推定工程と、
各ストリームの前記受信品質を送信帯域幅で平均化して平均ＣＱＩを求め、求めた各ストリームの平均ＣＱＩを前記送信帯域幅が広いほど少ない量子化ビット数で量子化してフィードバック情報を生成するフィードバック情報生成工程と、
前記フィードバック情報を送信する送信工程と、
を具備するフィードバック方法。
【手続補正３】
【補正対象書類名】図面
【補正対象項目名】全図
【補正方法】変更
【補正の内容】
【図１】
2009128276.tif 000013
【図２】
2009128276.tif 000014
【図３】
2009128276.tif 000015
【図４】
2009128276.tif 000016
【図５】
2009128276.tif 000017
【図６】
2009128276.tif 000018
【図７】
2009128276.tif 000019
【図８】
2009128276.tif 000020
【図９】
2009128276.tif 000021
【図１０】
2009128276.tif 000022
【国際調査報告】
2009128276.tif 000023
2009128276.tif 000024